(57)【要約】【課題】  検査工程において、修理対応が必要な製品に対して修理が完了しているか出荷前に確認することが可能となる無線通信システムを提供する。【解決手段】  ＲＯＭ６８，７６はＥＰＲＯＭであり、予め、例えば受光手段６９，７８を通じて信号を送りマイコン６７，７５からＲＯＭ６８，７６に、製品番号（製品ＩＤ）を書き込んである。そして、検査工程で、修理が必要となった場合は、上記製品ＩＤに加えて修理番号（修理ＩＤ）が書き込まれる。製品ＩＤと修理ＩＤは全く異なる番号で、作業者が混同しないものを、予め取り決めておく。【選択図】  図５
2005260930.tif 000002
【特許請求の範囲】
【請求項１】
自装置が修理状態であることを示す識別情報を修理情報とすると、
所定の信号が入力された場合に、前記修理情報が記憶装置に記憶されているか否かを判定する判定手段と、
前記記憶装置に修理情報が記憶されていると判定された場合に、該修理情報を出力手段から出力する出力制御手段とを備えていることを特徴とする受信装置。
【請求項２】
自装置が出荷可能状態であることを示す識別情報を出荷可能情報とすると、
前記判定手段は、さらに、前記出荷可能情報が記憶装置に記憶されているか否かを判定するものであって、
前記出力制御手段は、判定手段が記憶装置に出荷可能情報が記憶されていると判定した場合に、該出荷可能情報を出力手段から出力することを特徴とする請求項１に記載の受信装置。
【請求項３】
前記修理情報を記憶する記憶領域と、出荷可能情報を記憶する記憶領域とが、同じ記憶領域であることを特徴とする請求項２に記載の受信装置。
【請求項４】
自装置が修理状態であることを示す識別情報を修理情報とし、自装置が出荷可能状態であることを示す識別情報を出荷可能情報とすると、
所定の信号が入力された場合に、記憶装置に記憶されている情報が、前記修理情報または出荷可能情報のいずれであるかを判定する判定手段と、
前記判定結果に基づいて、記憶装置に記憶されている情報を出力手段から出力する出力制御手段とを備えていることを特徴とする受信装置。
【請求項５】
前記記憶装置は、修理情報を記憶する修理情報記憶領域と、出荷可能情報を記憶する出荷情報記憶領域と、該修理情報および出荷可能情報のうち、使用する情報を記憶する使用情報記憶領域とを有しており、
前記判定手段は、前記使用情報記憶領域に記憶されている情報が、前記修理情報または出荷可能情報のいずれであるかを判定することを特徴とする請求項５に記載の受信装置。
【請求項６】
請求項１ないし５のいずれか１項に記載の受信装置と、
前記受信装置と通信可能に接続された送信装置とを備えていることを特徴とする通信システム。
【請求項７】
前記送信装置には、修理情報および／または出荷可能情報が記憶されており、
前記所定の信号が入力された場合に、送信装置は、修理情報および／または出荷可能情報を受信装置に送信すると共に、受信装置は、受信した修理情報および／または出荷可能情報を記憶装置に記憶させることを特徴とする請求項６に記載の通信システム。
【請求項８】
前記送信装置と受信装置との通信方式が無線通信であることを特徴とする請求項６または７に記載の通信システム。
【請求項９】
前記送信装置および受信装置が互いを認識するための識別情報を認識情報とすると、
前記送信装置および受信装置には、各々認識情報が記憶されていることを特徴とする請求項８に記載の通信システム。
【請求項１０】
送信装置と受信装置を備える無線通信システムにおいて、
検査工程時に前記送信装置及び受信装置のそれぞれのアンテナを機能させるか否かを選択できる選択手段を備え、
前記送信装置及び受信装置は、検査工程時に修理対象品となった場合に製品番号のほかに修理対象品群を管理するための修理番号を新たに記憶する記憶手段を備えたことを特徴とする無線通信システム。
【請求項１１】
前記記憶手段に記憶された製品番号及び修理番号は、対をなす前記送信装置と受信装置とが対をなしていると認識するための認識情報を有していることを特徴とする請求項１０に記載の無線通信システム。
【請求項１２】
前記認識情報とは、対をなす前記送信装置と受信装置の前記記憶手段に記憶された製品番号及び修理番号の番号が同一であることを特徴とする請求項１１に記載の無線通信システム。
【請求項１３】
前記送信装置あるいは受信装置は、前記記憶手段が修理番号を記憶していることを示す提示手段を備えたことを特徴とする請求項１０至乃１２のいずれかに記載の無線通信システム。
【請求項１４】
前記提示手段は、表示手段であることを特徴とする請求項１３に記載の無線通信システム。
【請求項１５】
自装置が修理状態であることを示す識別情報を修理情報とすると、
所定の信号が入力された場合に、前記修理情報が記憶装置に記憶されているか否かを判定し、
前記記憶装置に修理情報が記憶されていると判定された場合に、該修理情報を出力手段から出力することを特徴とする情報出力方法。
【請求項１６】
自装置が出荷可能状態であることを示す識別情報を出荷可能情報とすると、
所定の信号が入力された場合に、さらに、前記出荷可能情報が記憶装置に記憶されているか否かを判定し、
前記記憶装置に出荷可能情報のみが記憶されていると判定された場合に、該出荷可能情報を出力手段から出力することを特徴とする請求項１５に記載の情報出力方法。
【請求項１７】
自装置が修理状態であることを示す識別情報を修理情報とし、自装置が出荷可能状態であることを示す識別情報を出荷可能情報とすると、
所定の信号が入力された場合に、記憶装置に記憶されている情報が、前記修理情報または出荷可能情報のいずれであるかを判定し、
前記判定結果に基づいて、記憶装置に記憶されている情報を出力手段から出力することを特徴とする情報出力方法。
【請求項１８】
前記記憶装置は、修理情報を記憶する修理情報記憶領域と、出荷可能情報を記憶する出荷情報記憶領域と、該修理情報および出荷可能情報のうち、使用する情報を記憶する使用情報記憶領域とを有しており、
前記使用情報記憶領域に記憶されている情報が、前記修理情報または出荷可能情報のいずれであるかを判定し、
前記判定結果に基づいて、前記使用情報記憶領域に記憶されている情報を出力手段から出力することを特徴とする請求項１７に記載の受信装置。
【請求項１９】
請求項１から５のいずれか１項に記載の受信装置が備える各手段をコンピュータに実現させることを特徴とするプログラム。
【請求項２０】
請求項１９に記載のプログラムを記録したコンピュータ読み取り可能な記録媒体。
【発明の詳細な説明】
【技術分野】
【０００１】
本発明は、無線ＬＡＮ等の無線通信により、画像データを伝送して表示させる無線通信システムに関し、特に複数のアンテナの通信性能を検査することが可能な無線通信システムに関する。また、本発明は、受信装置、通信システム、無線通信システム、情報出力方法、プログラム、および、そのプログラムを記録した記録媒体に関するものである。
【背景技術】
【０００２】
近年、液晶テレビジョン装置やＣＲＴテレビジョン装置などの持ち運び可能な可搬型の無線通信装置が提案され、ＩＥＥＥ８０２．１１もしくはＩＥＥＥ８０２．１１Ｂに準拠するＳＳ（Spread  Spectrum：スペクトラム拡散）無線方式を使用して、映像信号を送受信するものが提案されている。更に、この無線通信装置にあっては、上記無線方式だけでなく、データ転送速度が高速化される次世代携帯電話装置、ＰＨＳ（Personal  Handy−Phone System）、あるいは、Ｂｌｕｅ  Ｔｏｏｔｈにも用いることができるものも提案されている。
【０００３】
このような無線方式においては受信アンテナが必要となるが、一般的に、ＳＳ無線方式やＢｌｕｅ  Ｔｏｏｔｈ無線方式等で用いられている周波数帯域２．４ＧＨｚ帯用のアンテナ素子１２のアンテナ長は、無線波長の１／４に相当する約３ｃｍとなる。
【０００４】
このアンテナは、互いに垂直な位置関係にある一対のメインアンテナエレメントを用いている（特許文献１参照）。一対のアンテナエレメントは、互いのアンテナエレメントの配置関係が垂直方向に配置されることにより、各方向への利得を確保することが可能となり、ワイヤレス通信における発信体から放射される電波の偏波面、方向の変化に対応した受信性能を引き出すことが可能となる。
【０００５】
画像データを受信してそれをＳＳ無線方式で送信する送信装置と、その画像データを受信して表示する表示装置では、出荷前の検査段階において、各部品が筐体に収納された状態で送信装置から一定映像を送信し、表示装置に表示される映像の表示状態をチェックして良否を判別していた。
【０００６】
このような検査工程において、修理が必要となる製品が生じた場合は、製品番号（製品ＩＤ）で管理していた。しかし、出荷前に修理対応が必要な製品については、製品番号を書き換えて、修理が必要なことを認識しやすくすることが考えられる。
【０００７】
ここで、特許文献２には、製品番号の改ざんを防止するための暗証番号を用いた認証手段を介することによって製品番号が書換可能になる一方で無闇な番号の改ざんを防止しているものが記載されている。
【０００８】
また、特許文献３には、書き込み不可能記憶領域が書き込み可能な状態のまま出荷されても誤動作しない非接触型データキャリアが記載されている。特許文献３に記載の非接触型データキャリアは、ユーザ書き込み不可能記憶領域内にこの領域へのデータ書き込みを許可する出荷識別情報を格納しており、出荷識別情報を無線入力信号と共にデコードするとき、無線入力信号がテスト用であれば有効にし、無線入力信号が通常のものであれば無効としている。これにより、このまま出荷されたとしても誤動作を回避できるものとなっている。
【特許文献１】特開平２−２７８９０３号公報（平成２年(1990)１１月１５日公開）
【特許文献２】特開昭６３−３７７８３号公報（昭和６３年(1988)２月１８日公開）
【特許文献３】特開２００４−７０７６３号公報（平成１６年(2004)３月４日公開）
【発明の開示】
【発明が解決しようとする課題】
【０００９】
しかしながら特許文献２の技術を実際の生産ライン上で用いると、ある製品番号を有した製品に対しては出荷前に設定された製品番号が書き換えられる作業が導入され得るので、書換変更を覚えさせるための変更履歴を記載する必要が生じる。このため、品質管理上手間がかかることになる。また、製品の大幅な分解作業等は別として、一部部品を交換する程度の補修作業において製品番号を書き換えるまでの必然性が生じるか疑問である。一方、修繕作業が必要な製品群に対して何らかの管理手段は必要になる。特に複数部の製品構成からなる場合は、厳しい製品管理が必要になる。
【００１０】
筐体に収納された受信部あるいは送信部の修理作業を行うために、製品番号（製品ＩＤ）で管理すると数値が飛び飛びの値で管理することになり修理工程での判別が不便である。また、修理工程中の製品が出荷させ得ることに対しても対応する手段が必要になる。
【００１１】
また、特許文献３の構成では、あくまでも、出荷識別情報を用いて、最終検査後のデータ書き込みを不可能とし、重要データの破壊を防止するものである。また、出荷識別情報は、最終検査を受けているか否かについての情報ではあるものの、その製品が、修理作業の必要なものであるか否かといった情報は分からない。
【００１２】
本発明は、斯かる実情に鑑み、検査工程において、修理対応が必要な製品に対して修理が完了しているか出荷前に確認することが可能となる無線通信システムを提供することを目的とするものである。
【課題を解決するための手段】
【００１３】
本発明に係る受信装置は、上記課題を解決するために、自装置が修理状態であることを示す識別情報を修理情報とすると、所定の信号が入力された場合に、前記修理情報が記憶装置に記憶されているか否かを判定する判定手段と、前記記憶装置に修理情報が記憶されていると判定された場合に、該修理情報を出力手段から出力する出力制御手段とを備えていることを特徴としている。
【００１４】
上記の構成によれば、所定の信号が入力されると、判定手段は、記憶装置に修理情報が記憶されているか否かを判定する。なお、所定の信号とは、記憶装置に修理情報が記憶されているか否かを判定することが必要となる場合に入力される信号のことである。また、記憶装置に修理情報が記憶されているか否かを判定することが必要となる場合とは、例えば、受信装置を出荷する段階になって、受信装置が出荷できる状態であるか否かを確認する場合である。すなわち、修理状態のまま出荷してしまうことのないように、受信装置が修理状態であるか否かを確認する場合である。
【００１５】
また、修理情報とは、自装置が修理状態であることを示す識別情報である。自装置が修理状態である場合とは、例えば、不良個所の修理待ちの状態である場合や、不良個所の修理中である場合等である。このように、自装置が修理状態である場合には、記憶装置に修理情報が記憶されている。なお、修理情報は、自装置が出荷不可能な状態であることを示す識別情報であってもよい。
【００１６】
また、記憶装置に修理情報が記憶されていると判定された場合には、出力制御手段が、出力手段から修理情報を出力するようになっている。すなわち、出力制御手段は、記憶装置から読み出された修理情報を、所定の出力方法にて出力するように制御する。なお、出力手段とは、修理情報を自装置外部にて認識可能となるものであればよく、特に限定されるものではないが、例えば、表示手段や音声出力手段等を挙げることができる。
【００１７】
出力手段が表示手段である場合には、修理情報が文字列や画像として表示されるため、その情報を視覚的に認識することが可能となる。また、出力手段が音声出力手段である場合には、修理情報が音として出力されるため、その情報を聴覚的に認識することが可能となる。したがって、所定のタイミングにおいて、記憶装置に修理情報が記憶されているか否かを認識することができる。このため、例えば、修理状態にある受信装置を出荷してしまうことを回避することができる。
【００１８】
本発明に係る受信装置では、自装置が出荷可能状態であることを示す識別情報を出荷可能情報とすると、前記判定手段は、さらに、前記出荷可能情報が記憶装置に記憶されているか否かを判定するものであって、前記出力制御手段は、判定手段が記憶装置に出荷可能情報のみが記憶されていると判定した場合に、該出荷可能情報を出力手段から出力することが好ましい。
【００１９】
上記の構成によれば、上記判定手段は、修理情報が記憶装置に記憶されているか否かの判定に加えて、出荷可能情報が記憶装置に記憶されているか否かの判定を行う。ここで、出荷可能情報とは、受信装置が出荷可能である状態を示す識別情報である。すなわち、出荷可能情報としては、出荷可能である状態を示すものであればよく、特に限定されるものではないが、例えば、製品番号等を挙げることができる。製品番号は、各装置固有に付与された識別情報であり、出荷が可能であるか否かを判断する段階においては、不良個所もなく出荷が可能な状態となっていることを示す識別情報である。
【００２０】
また、記憶装置に出荷可能情報のみが記憶されていると判定された場合には、出力制御手段は、出力手段から出荷可能情報を出力する。すなわち、記憶装置に修理情報のみが記憶されている場合や、修理情報と出荷可能情報とが記憶されている場合には、出荷可能情報を出力しない。したがって、自装置が修理状態ではなく、出荷が可能な状態となっている場合にのみ出荷可能情報を出力することとなる。
【００２１】
なお、修理情報のみ記憶装置に記憶されている場合や、修理情報と出荷可能情報との両情報が記憶装置に記憶されている場合には、判定手段は修理情報が記憶されている旨判定するため、出力制御手段は修理情報を出力手段から出力する。したがって、記憶装置に修理情報が記憶されていることを認識することができ、修理状態にある受信装置を出荷してしまうことを回避することができる。
【００２２】
本発明に係る受信装置では、前記修理情報を記憶する記憶領域と、出荷可能情報を記憶する記憶領域とが、同じ記憶領域であることが好ましい。
【００２３】
上記の構成によれば、修理情報と出荷可能情報とを同じ記憶領域に記憶させることとなる。すなわち、予め修理情報が記憶されている場合には、修理情報に上書きして出荷可能情報を記憶させることとなる。一方、予め出荷可能情報が記憶されている場合には、出荷可能情報に上書きして修理情報を記憶させることとなる。このため、修理状態にある受信装置の記憶装置には、修理情報が記憶されており、修理状態を脱した受信装置の記憶装置には、修理情報は消去されて出荷可能情報が記憶されている。すなわち、記憶装置には、修理情報または出荷可能情報の一方のみが記憶されており、修理情報が記憶されているか否かの判定が容易かつ信頼性の高いものになる。
【００２４】
本発明に係る受信装置は、上記課題を解決するために、自装置が修理状態であることを示す識別情報を修理情報とし、自装置が出荷可能状態であることを示す識別情報を出荷可能情報とすると、所定の信号が入力された場合に、記憶装置に記憶されている情報が、前記修理情報または出荷可能情報のいずれであるかを判定する判定手段と、前記判定結果に基づいて、記憶装置に記憶されている情報を出力手段から出力する出力制御手段とを備えていることを特徴としている。
【００２５】
上記の構成によれば、所定の信号が入力されると、判定手段は、記憶装置に修理情報または出荷可能情報のいずれが記憶されているかを判定する。なお、所定の信号とは、記憶装置に修理情報または出荷可能情報のいずれが記憶されているかを判定することが必要となる場合に入力される信号のことである。また、記憶装置にいずれの情報が記憶されているかを判定することが必要となる場合とは、例えば、受信装置が出荷できる状態であるか否かを確認する場合である。また、修理情報とは、自装置が修理状態であることを示す識別情報であり、出荷可能情報とは、自装置が出荷可能状態であることを示す識別情報である。
【００２６】
また、出力制御手段は、判定手段の判定結果に基づいて、記憶装置に記憶された情報（修理情報または出荷可能情報）を出力手段から出力させる。なお、出力手段とは、修理情報を自装置外部にて認識可能となるものであればよく、特に限定されるものではないが、例えば、表示手段や音声出力手段等を挙げることができる。
【００２７】
出力手段が表示手段である場合には、表示された情報を視覚的に認識することが可能となる。また、出力手段が音声出力手段である場合には、出力された情報を聴覚的に認識することが可能となる。したがって、所定のタイミングにおいて、記憶装置に記憶された情報を認識することができる。このため、受信装置が修理状態であるのか、または出荷可能状態であるのかを確認することが可能となり、修理状態にある受信装置を出荷してしまうことを回避することができる。
【００２８】
本発明に係る受信装置では、前記記憶装置は、修理情報を記憶する修理情報記憶領域と、出荷可能情報を記憶する出荷情報記憶領域と、該修理情報および出荷可能情報のうち、使用する情報を記憶する使用情報記憶領域とを有しており、前記判定手段は、前記使用情報記憶領域に記憶されている情報が、前記修理情報および出荷可能情報のいずれであるかを判定することが好ましい。
【００２９】
上記の構成によれば、修理情報と出荷可能情報とが異なる記憶領域（修理情報記憶領域および出荷情報記憶領域）に記憶されている。また、上記受信装置では、この修理情報および出荷可能情報のうち、いずれかの情報を使用するようになっており、記憶装置は、使用する情報を記憶する使用情報記憶領域を有している。
【００３０】
また、出力制御手段は、判定手段の判定結果に基づいて、使用情報記憶領域に記憶された情報（修理情報または出荷可能情報）を出力手段から出力させる。このため、受信装置が修理状態であるのか、または出荷可能状態であるのかを確認することが可能となり、修理状態にある受信装置を出荷してしまうことを回避することができる。また、修理情報を記憶する記憶領域と、出荷可能情報を記憶する記憶領域とが異なる記憶領域であることから、修理状態から脱した受信装置においても、記憶装置に記憶された修理情報を消去することなく出荷可能情報を記憶させることが可能となる。このため、修理情報を履歴として残すことができ、将来の故障時等の参考にすることができる。
【００３１】
本発明に係る通信システムは、上記課題を解決するために、上記いずれかに記載の受信装置と、前記受信装置と通信可能に接続された送信装置とを備えていることを特徴としている。
【００３２】
上記の構成によれば、送信装置と通信可能に接続された受信装置が、修理情報を出力手段から出力するようになっている。また、送信装置側に不良個所がある場合においても、通信が正常に行われないことから、修理状態である旨が出力手段から出力される。したがって、送信装置および受信装置のいずれかに不良個所が発見され、修理状態となった場合においても、修理情報が出力されるため、誤って出荷してしまうことを回避することができる。
【００３３】
本発明に係る通信システムでは、前記送信装置には、修理情報および／または出荷可能情報が記憶されており、前記所定の信号が入力された場合に、送信装置は、修理情報および／または出荷可能情報を受信装置に送信すると共に、受信装置は、受信した修理情報および／または出荷可能情報を記憶装置に記憶させることが好ましい。
【００３４】
上記の構成によれば、上記修理情報および／または出荷可能情報が、送信装置に記憶されている場合であっても、所定の信号が入力された場合に、送信装置から受信装置へ上記各情報を送信し、受信装置の記憶装置に記憶させることができる。したがって、所定の信号が入力された場合に、受信装置の記憶装置に修理情報が記憶されているか否かを判定することで、送信装置および／または受信装置が修理状態であるか否かを確認することができる。
【００３５】
本発明に係る通信システムでは、前記送信装置と受信装置との通信方式が無線通信であることが好ましい。上記の構成によれば、送信装置と受信装置とが直接接続されていない場合や、一体となったものでない場合であっても、記憶装置に修理情報が記憶されているか否かを判定することによって、各装置が修理状態であるか否かを確認することができる。
【００３６】
本発明に係る通信システムでは、前記送信装置および受信装置が互いを認識するための識別情報を認識情報とすると、前記送信装置および受信装置には、各々認識情報が記憶されていることが好ましい。上記の構成によれば、送信装置には、受信装置を認識するための認識情報が記憶されている。一方、受信装置には、送信装置を認識するための認識情報が記憶されている。したがって、互いを認識することが可能となり、相互に無線通信を行うことができる。
【００３７】
本発明は、送信装置と受信装置を備える無線通信システムにおいて、検査工程時に前記送信装置及び受信装置のそれぞれのアンテナを機能させるか否かを選択できる選択手段を備え、前記送信装置及び受信装置は、検査工程時に修理対象品となった場合に製品番号のほかに修理番号を新たに記憶する記憶手段を備えたことを特徴とする。
【００３８】
また、前記記憶手段に記憶された製品番号及び修理番号は、対をなす前記送信装置と受信装置とが対をなしていると認識するための認識情報を有していることを特徴とする。ここで、前記認識情報とは、対をなす前記送信装置と受信装置の前記記憶手段に記憶された製品番号及び修理番号の番号が同一であることを特徴とする。
【００３９】
また、前記送信装置あるいは受信装置は、前記記憶手段が修理番号を記憶していることを示す提示手段を備えたことを特徴とする。前記提示手段は、表示手段であることが好ましい。
【００４０】
本発明によれば、記憶手段に修理番号を記憶しているので、検査工程において修理対象製品を適切な番号で管理することができ、作業効率が向上する。
【００４１】
また、対をなす送信装置あるいは受信装置に関する情報を記憶しているので、一対の送信装置及び受信装置の組み合わせを同定することが可能である。
【００４２】
また、前記記憶手段が修理番号を記憶していることを示す提示手段を備えているので、検査工程において調整者が検査している製品が、修理中であるか否かを判別することが可能であり、修理対象製品であることを出荷前に認識することができ、修理中の製品の誤った出荷を防止することができる。
【００４３】
本発明に係る情報出力方法は、上記課題を解決するために、自装置が修理状態であることを示す識別情報を修理情報とすると、所定の信号が入力された場合に、前記修理情報が記憶装置に記憶されているか否かを判定し、前記記憶装置に修理情報が記憶されていると判定された場合に、該修理情報を出力手段から出力することを特徴としている。
【００４４】
上記の構成によれば、所定の信号が入力された場合に、記憶装置に修理情報が記憶されているか否かを判定する。また、記憶装置に修理情報が記憶されていると判定された場合には、出力手段から修理情報を出力する。これにより、所定のタイミングにおいて、記憶装置に修理情報が記憶されているか否かを認識することができ、例えば、修理状態にある受信装置を出荷してしまうことを回避することができる。
【００４５】
本発明に係る情報出力方法では、自装置が出荷可能状態であることを示す識別情報を出荷可能情報とすると、所定の信号が入力された場合に、さらに、前記出荷可能情報が記憶装置に記憶されているか否かを判定し、前記記憶装置に出荷可能情報のみが記憶されていると判定された場合に、該出荷可能情報を出力手段から出力することが好ましい。
【００４６】
上記の構成によれば、所定の信号が入力された場合には、修理情報が記憶装置に記憶されているか否かの判定に加えて、出荷可能情報が記憶装置に記憶されているか否かが判定される。そして、記憶装置に出荷可能情報のみが記憶されていると判定された場合には、出力手段から出荷可能情報が出力される。これにより、自装置が修理状態でなく出荷が可能な状態となっていることを確認することができる。
【００４７】
本発明に係る情報出力方法は、上記課題を解決するために、自装置が修理状態であることを示す識別情報を修理情報とし、自装置が出荷可能状態であることを示す識別情報を出荷可能情報とすると、所定の信号が入力された場合に、記憶装置に記憶されている情報が、前記修理情報または出荷可能情報のいずれであるかを判定し、前記判定結果に基づいて、記憶装置に記憶されている情報を出力手段から出力することを特徴としている。
【００４８】
上記の構成によれば、所定の信号が入力された場合に、記憶装置に記憶されている情報が修理情報であるか出荷可能情報であるかを判定し、判定結果に基づいて記憶装置に記憶された情報を出力する。これにより、所定のタイミングにおいて、記憶装置に記憶された情報が、修理情報および出荷可能情報のいずれであるかを認識することが可能となり、修理状態にある受信装置を出荷してしまうことを回避することができる。
【００４９】
本発明に係る情報出力方法では、前記記憶装置は、修理情報を記憶する修理情報記憶領域と、出荷可能情報を記憶する出荷情報記憶領域と、該修理情報および出荷可能情報のうち、使用する情報を記憶する使用情報記憶領域とを有しており、前記使用情報記憶領域に記憶されている情報が、前記修理情報または出荷可能情報のいずれであるかを判定し、前記判定結果に基づいて、前記使用情報記憶領域に記憶されている情報を出力手段から出力することが好ましい。
【００５０】
上記の構成によれば、記憶装置は、修理情報を記憶する修理情報記憶領域と、出荷可能情報を記憶する出荷情報記憶領域と、使用する情報を記憶する使用情報記憶領域とを有している。
【００５１】
出力制御手段は、判定手段の判定結果に基づいて、使用情報記憶領域に記憶された情報（修理情報または出荷可能情報）を出力手段から出力させるため、受信装置が修理状態であるのか、または出荷可能状態であるのかを確認することが可能となる。これにより、修理状態にある受信装置を出荷してしまうことを回避することができる。
【００５２】
なお、上記受信装置は、コンピュータによって実現してもよく、この場合には、コンピュータを上記各手段として動作させることにより上記受信装置をコンピュータにて実現させる受信装置の制御プログラム、およびそれを記録したコンピュータ読み取り可能な記録媒体も、本発明の範疇に入る。
【発明の効果】
【００５３】
本発明に係る受信装置は、以上のように、自装置が修理状態であることを示す識別情報を修理情報とすると、所定の信号が入力された場合に、前記修理情報が記憶装置に記憶されているか否かを判定する判定手段と、前記記憶装置に修理情報が記憶されていると判定された場合に、該修理情報を出力手段から出力する出力制御手段とを備えているので、所定のタイミングにおいて、記憶装置に修理情報が記憶されているか否かを認識することができるという効果を奏する。
【発明を実施するための最良の形態】
【００５４】
〔実施の形態１〕
以下、本発明の第１の実施の形態を添付図面を参照して説明する。
【００５５】
まず、図１に示すように、本発明の無線通信システムは、映像データを受信してそれをＳＳ無線方式にて伝送する映像伝送ユニット（送信装置）２０と、画像データを受信して表示する持ち運び可能な表示ユニット（受信装置）３０との組み合わせによって構成される。
【００５６】
映像伝送ユニット２０は、例えば、ＣＡＴＶの信号やテレビ電波を受信して比較的大容量の映像信号を表示ユニット３０に送るために、数ＧＨｚオーダー以上の周波数帯域の搬送波を用いた発信手段であることが好ましい。そのため、例えば直接拡散（ＤＳ）方式や周波数ホッピング（ＦＨ）方式といったいわゆるＳＳ（Spread  Spectrum：スペクトラム拡散）無線方式等の通信方式であることが好ましい。
【００５７】
表示ユニット３０は主に、液晶パネルからなる表示画面部３１、表示画面部３１の左右両側に配置された半円形状のスピーカ格納部３２、スタンド３３、映像処理回路（図示せず）、表示ユニット全体を持ち運び可能にするための取っ手３４等から構成される。表示画面部３１には液晶パネルを用いているが、特にこれに限定されるわけでなく、表示素子を構成する部材であればよい。特に携行性に適した薄型の表示素子であると尚良く、有機／無機ＥＬ表示素子やＦＥＤ表示素子、プラズマ表示素子等が挙げられる。
【００５８】
これらＳＳ無線方式の送受信装置（映像伝送ユニット２０と表示ユニット３０）は、発信手段等を含めた回路と複数のアンテナ等を備えている。
【００５９】
次に、各ユニット２０，３０に用いるアンテナについて説明する。
【００６０】
図２は、このアンテナの構造を示す斜視図であり、（ａ）は逆Ｌ型アンテナ、（ｂ）は逆Ｆ型アンテナである。逆Ｌ型アンテナ５０は、矩形上のアンテナ基板５１と、側面逆Ｌ字状の金属板からなるアンテナ素子部５２とから構成されている。一方、逆Ｆ型アンテナ５５は、矩形上のアンテナ基板５６と、側面逆Ｆ字状の金属板からなるアンテナ素子部５７とから構成されている。アンテナはどちらのタイプを用いても構わないが、本実施形態においては、逆Ｆ型アンテナを用いるものとする。
【００６１】
図３に示すように、映像伝送ユニット２０は、上面カバー２１ａ、前面パネル２１ｂ、底面カバー２１ｃの筐体内にチューナ部２３やビデオ端子２４等を搭載したセンター基板２２等の部品を収納しており、上面カバー２１ａ、前面パネル２１ｂは取り外し可能である。映像伝送ユニット２０の筐体内部には、さらに図３に示すように、アンテナ２６、及びアンテナ２７が互いに直交関係を保持するように配置されており、各アンテナ２６，２７は、ケーブル２８，２９を介して無線通信送信部２５に接続される。これにより、表示ユニット３０におけるアンテナ配置と同様に（詳しくは後述する）、互いのアンテナの配置関係が垂直方向に配置されることにより、各方向への利得を確保することが可能となる。こうして、ワイヤレス通信における発信体から放射される電波の偏波面、方向の変化に対応した受信性能を引き出すことが可能となる。
【００６２】
図４に示すように、アンテナ４１〜４３が、ビスを介して表示ユニット３０の前面キャビネット４７に固定されつつ、無線通信受信部４６へケーブルを介して接続される。アンテナ４１，４２は、互いに取り付け方向が９０度異なるように、スピーカ格納部３２であってスピーカ４４，４５の上方に配置されている。アンテナ４３は、アンテナ４１，４２と互いに取り付け方向が９０度異なるように、表示画面部３１が収容されている部分に配置される。これにより、互いのアンテナ４１〜４３の配置関係が垂直方向に配置されることにより、各方向への利得を確保することが可能となり、ワイヤレス通信における発信体から放射される電波の偏波面、方向の変化に対応した受信性能を引き出すことが可能となる。なお、本実施の形態では、アンテナ４１〜４３を備えた構成としているが、これに限定されるものではなく、アンテナ４１およびアンテナ４２のみを備えた構成としてもよい。
【００６３】
なお、各ユニット２０，３０が有するアンテナは、お互いに垂直方向に配置されているが、これに限るわけではない。特に、異方性配置の関係にあることが好ましい。また、アンテナ数も２つ以上であればよく、特に数に限定があるわけではない。
【００６４】
また、図５には本発明に係る無線通信システムにおける機能ブロック図を示す。
【００６５】
映像伝送ユニット２０は、一般的な構成として、放送信号を受信する受信手段６１、受信した放送信号の映像信号を信号処理する映像処理手段６２、受信した放送信号の音声信号を信号処理する音声処理手段６３、映像処理手段６２および音声処理手段６３で処理された信号を圧縮するエンコーダ６４、エンコーダ６４で圧縮された信号を表示ユニット３０へ送信する無線送受信手段６５等から構成されている。また、無線送受信手段６５は、無線通信送信部２５、各アンテナ２６，２７、およびケーブル２８，２９により構成されている。
【００６６】
表示ユニット３０は、一般的な構成として、映像伝送ユニット２０の無線送受信手段６５から送信される映像信号を受信する無線送受信手段７９、無線送受信手段７９で受信した映像信号を伸長するデコーダ７０、デコーダ７０で伸長された映像信号を信号処理する映像処理手段（出力制御手段）７１、映像処理手段７１で信号処理された映像を表示する表示手段（出力手段）７２、デコーダ７０で伸長された音声信号を信号処理する音声処理手段（出力制御手段）７３、音声処理手段７３で信号処理された音声を出力するスピーカ（出力手段）７４、表示ユニット３０の制御を行うマイコン（判定手段）７５およびＲＯＭ（記憶装置）７６、表示ユニット３０の操作を行うリモートコントロール装置（以降、リモコンと略す）８０からの信号を受信する受光手段７８等から構成されている。
【００６７】
映像伝送ユニット２０は、受信手段６１で受信した放送信号を映像処理手段６２に送り映像搬送波等の除去を行うなどの信号処理を行い、再度無線通信信号を送るために映像圧縮処理等の作業を行うエンコーダ６４を介して無線送受信手段６５から設定された搬送周波数に重畳されて表示ユニット３０に送るといった一連の作業を主に行っている。また、これらの処理を適切に行うために映像伝送ユニット２０はマイコン６７および各種設定値を記憶保持するためのＲＯＭ６８を有している。また、このＲＯＭ６８に記録された設定値をマイコン６７を介して変更可能にするための手段として、リモコン８０からの所定信号を受光するための受光手段６９を設けてもよいが、リモコン８０からの制御信号は表示ユニット３０側にも設けられた受光手段７８とマイコン７５を介して無線送受信手段７９から無線送受信手段７９で無線通信してマイコン７５に通信する通信経路を用いても良い。
【００６８】
表示ユニット３０は、無線送受信手段６５から送信された放送信号を無線送受信手段７９で受信し通信波等の除去を行うなどの処理を行い、映像信号処理等の作業を行うデコーダ７０を介して映像処理手段７１から表示手段７２に表示するといった一連の作業を主に行っている。また、これらの処理を適切に行うために表示ユニット３０にはマイコン７５および各種設定値を記憶保持するためのＲＯＭ７６を有している。また、このＲＯＭ７６に記録された設定値をマイコン７５を介して変更可能にするための手段として、リモコン８０からの所定信号を受光するための受光手段７８を設けて各種制御を行うようにすることが可能となる。
【００６９】
また、ＲＯＭ６８，７６はＥＰＲＯＭであり、予め、例えば受光手段６９，７８を通じて信号を送りマイコン６７，７５からＲＯＭ６８，７６に、製品番号（製品ＩＤ；出荷可能情報）を書き込んである。そして、詳しくは後述するが、検査工程で、修理が必要となった場合は、上記製品ＩＤに加えて修理番号（修理ＩＤ；修理情報）が書き込まれる。製品ＩＤと修理ＩＤは全く異なる番号（例えばアルファベットと数字の組み合わせ）で、作業者が混同しないものを、予め取り決めておく。また、同時に、対となる映像伝送ユニット２０や表示ユニット３０の情報（製品ＩＤ）もＲＯＭ６８，７６に記憶しておく。こうすれば、映像伝送ユニット２０や表示ユニット３０の一方が修理対象品となった場合、他方のユニットを特定しやすくなり、検査工程の作業を迅速に進めることができる。
【００７０】
さて、このような映像伝送ユニット２０と表示ユニット３０を出荷前の検査工程で検査を行うわけであるが、以下にアンテナの通信性能に関する検査について説明する。
【００７１】
検査工程にある全ての映像伝送ユニット２０と表示ユニット３０は電源オン状態になっており、また全ての表示ユニット３０のアンテナは動作可能状態になっている。一方、映像伝送ユニット２０のアンテナは機能停止状態にある。すなわち、表示ユニット３０のマイコン７５は、アンテナ４１，４２，４３を有する無線送受信手段７９からの信号を受信できるようになっている。一方、映像伝送ユニット２０のマイコン６７は、アンテナ２６，２７を有する無線送受信手段６５への信号出力を停止している。これは、マイコン６７，７５の内部に無線送受信手段６５，７９の信号の入出力に関する制御機能があり、リモコン８０を操作する作業者の指示によってオン／オフ動作する。
【００７２】
図７に示すように、作業者は、リモコン８０を用いて指示し、検査対象の映像伝送ユニット２０のマイコン６７からアンテナへの信号出力をオン状態とする。検査ライン上にある映像伝送ユニット２０と表示ユニット３０のペアに対し、作業者がリモコン８０から検査対象のアンテナを選択する。つまり、機能させるアンテナを選択する。この時、作業者は、映像伝送ユニット２０と表示ユニット３０において、少なくとも１つ以上のアンテナを選択する。そして、選択したアンテナの組み合わせから、各アンテナの通信性能がわかるように選択するようにする。
【００７３】
リモコン８０を送出した選択信号は受光手段６９，７８に入力され、マイコン６７，７５に伝達される。なお、リモコン８０を送出した選択信号は、受光手段６９，７８に入力され、マイコン６７，７５は、無線送受信手段６５のアンテナ２６，２７及び無線送受信手段７９のアンテナ４１，４２，４３のうちから選択指示されたものを機能させる。
【００７４】
なお、リモコン８０を送出した選択信号は、受光手段６９に入力されマイコン６７が無線送受信手段６５のアンテナ２６，２７を選択して機能させると同時に、マイコン６７は無線送受信手段６５，７９を介して無線にてマイコン７５に表示ユニット３０のアンテナ情報を伝達するものでもよい。
【００７５】
次に、映像伝送ユニット２０のマイコン６７は、検査用画像データを受信手段６１、映像処理手段６２、エンコーダ６４を介して無線送受信手段６５から表示ユニット３０の無線送受信手段７９へＳＳ無線方式で伝送する。表示ユニット３０のマイコン７５は、無線送受信手段７９で受信した画像データを、デコーダ７０、映像処理手段７１を通じて表示手段７２に表示させる。作業者は、表示手段７２で表示された受信画像を基準画像と比較して受信状態の良否を判断する。こうして、送信装置及び受信装置の少なくとも１つ以上のアンテナを機能させて通信状態を検査できるので、機能しているアンテナの組み合わせから、各アンテナの良否を検査できる。
【００７６】
次に、アンテナ部分に問題があれば、修理が必要となるので、作業者は修理ＩＤをリモコン８０を用いて入力する。マイコン６７，７５は、ＲＯＭ６８，７６に修理ＩＤを書き込む。
【００７７】
なお、受信状態は、検査装置を用いて基準信号と比較して判定してもよいし、受信画像を検査装置が読み取り基準画像信号と比較して判定してもよい。
【００７８】
図７に示すように、検査が終了すると、作業者はリモコン８０を用いて映像伝送ユニット２０のマイコン６７から無線送受信手段６５への信号出力をオフにする。
【００７９】
なお、検査前においては、検査対象以外の映像伝送ユニット２０のみアンテナを機能停止状態（アンテナへの信号出力停止状態）としたが、検査対象以外の表示ユニット３０のアンテナのみを機能停止としてもよいし、検査対象外の映像伝送ユニット２０及び表示ユニット３０の両方のアンテナを機能停止状態としてもよい。検査するときに、リモコン８０を用いて、アンテナを機能させる状態にする。
【００８０】
また、マイコン７５は、アンテナの選択信号を映像処理手段７１に送り、映像処理手段７１は、その情報を記号化して表示手段７２に表示する。図６にその表示画面の説明を示す。アンテナの選択情報は文字データとして表示され、各文字記号は以下のように設定されている。
【００８１】
項目（１）：『ＡＮＴ−ＴＸ』は映像伝送ユニット２０のアンテナが選択可能
選択肢『Ｌ』⇒アンテナ２６を指定、『Ｒ』⇒アンテナ２７を指定、『Ｄ』⇒２６，２７のいずれか一方を自動的に選択する。
【００８２】
項目（２）：『ＡＮＴ−ＲＸ』は表示ユニット３０のアンテナが選択可能
選択肢『Ｌ』⇒アンテナ４１を指定、『Ｒ』⇒アンテナ４２を指定、『Ｃ』⇒アンテナ４３を指定、『Ｄ』⇒４１，４２、４３のいずれか一方を自動的に選択する。
【００８３】
項目（３）：『ＳＳ−ＴＸ』は映像伝送ユニット２０のアンテナ２６，２７のマイコン６７からの信号出力のオン／オフ切換
選択肢『ＯＮ』⇒映像伝送ユニット２０のアンテナ２６，２７の入力中、『ＯＦＦ』⇒映像伝送ユニット２０のアンテナ２６，２７の機能停止中。
【００８４】
図６では、『ＳＳ−ＴＸ』は『ＯＮ』であるので、検査対象の映像伝送ユニット２０のアンテナ２６，２７は機能中であることがわかる。『ＡＮＴ−ＴＸ』は『Ｌ』、『ＡＮＴ−ＲＸ』は『Ｌ』なので、アンテナ２６とアンテナ４１を選択して機能させたことを意味する。
【００８５】
『Ｄ』の場合は、マイコン６７，７５が予め設定された順でアンテナを選択する。これらデータはＲＯＭ６８，７６に格納されており、このデータにしたがってアンテナを選択する。送信装置及び受信装置のマイコンが、機能させるアンテナを自動的に選択するので、検査作業者がアンテナを選択する手間が省ける。
【００８６】
図７に示すように、検査対象ではない映像伝送ユニット２０のアンテナは機能停止状態とし、これとペアをなす表示ユニット３０の画面には『ＳＳ−ＴＸ』は『ＯＦＦ』と表示されている。こうして、検査対象以外の映像伝送ユニット２０のアンテナを機能停止状態にするので、検査対象の表示ユニット３０が検査対象以外の映像伝送ユニット２０の電波を混信してしまうことがない。そのため、検査工程時に送信部の電源入／切操作を行うことなく送受信検査を行うことができ、作業効率が向上する。
【００８７】
また、送信部のＲＦ出力の機能切換を行うための設定項目ＳＳ−ＴＸは、検査工程にのみ用意しているので、ユーザーによる上記切換操作が容易に行われないので、ユーザーによる誤操作を引き起こす心配が無い。
【００８８】
なお、アンテナの表示記号は文字だけではなく、アイコンでもよいし、アンテナごとに色を変えて表示してもよい。
【００８９】
こうして、機能させるアンテナを示す記号を前記表示手段に表示するので、検査工程において、作業者が送受信検査をしている時に、どのアンテナによる検査を行っているのか容易に認識することが可能となる。さらに、受信中の映像信号に重ねて前記アンテナ記号を表示させると、ワイヤレス通信システムの受信状態を確認しながら現在機能させているアンテナも同時に特定確認することができる。
【００９０】
次に、検査（修理）工程における手順について説明する。この検査工程では、前述の簡易検査を受けて、修理対象品に対して精密検査と調整を施し、調整によって修理できたものは出荷し、さらに修理が必要なものは別工程に回す。
【００９１】
図８は、検査（修理）工程における手順を示すフローチャートであり、図９は、表示手段の表示画面を示す説明図である。
【００９２】
まず、検査工程において、マイコン６７，７５は、ＲＯＭ６８，７６に修理ＩＤが書き込まれているか（記憶されているか）を確認する（ステップＳ１）。修理ＩＤが書き込まれている場合は、使用するＩＤを修理ＩＤにし（ステップＳ２）、修理ＩＤが書き込まれていない場合は、使用するＩＤを製品ＩＤとする（ステップＳ３）。マイコン６７，７５は検査モードであるかを確認してから（ステップＳ４）、上記検査（修理）工程を行う（ステップＳ５）。修理が終了し、マイコン６７，７５は、リモコン８０を通じて修理ＩＤ消去の指示が作業者からあるかを確認し（ステップＳ６）、消去指示があればＲＯＭ６８，７６から修理ＩＤを消去し、ＩＤを製品ＩＤに変える（ステップＳ７）。
【００９３】
検査モードが終了すると（ステップＳ８）、マイコン６７，７５はＩＤが製品ＩＤであるかを確認する（ステップ９）。修理工程において、ここまでは表示手段７２には、図９示す画面Ａが表示され、文字色は例えば、緑で表示されている。画面製品ＩＤであれば、図９に示す画面Ｂが表示手段７２に表示され、文字色は緑である（ステップＳ１０）。修理ＩＤであれば、図９に示す画面Ｃが表示され、文字色は赤である（ステップＳ１１）。
【００９４】
こうして、修理ＩＤを製品ＩＤとは別に新たにＲＯＭに記憶させるので、修理ＩＤを順に番号を付すことができ、管理しやすくなる。また、製品ＩＤとは明らかに異なる修理ＩＤが付されるので、修理が必要な製品を誤って出荷してしまうがことも防止できる。特に、作業者に修理ＩＤであることを画面表示することで、提示できるので、認識しやすくできる。こうして、検査工程における作業効率を効率化できるという効果を奏する。
【００９５】
なお、本実施形態においては、アンテナの部分の良否判定を行ったが、これに限定されるわけではなく、他の部品の検査工程で修理が必要となった場合も、上記同様修理ＩＤを付与して管理する。
【００９６】
〔実施の形態２〕
本発明の第２の実施の形態について図１ないし図７、図９および図１０に基づいて説明すれば以下のとおりである。本実施の形態に係る無線通信システムは、上記実施の形態１にて説明した無線通信システムと同様の構成を有しているため、実施の形態１にて説明した部材については同一の符号を付し、その説明を省略する。
【００９７】
本実施の形態における無線通信システムは、実施の形態１と同様に、図１に示すような映像伝送ユニット（送信装置）２０と、表示ユニット（受信装置）３０とを備えている。この映像伝送ユニット２０と表示ユニット３０とは無線方式にて通信するようになっており、ＣＡＴＶの信号やテレビ電波を映像伝送ユニット２０から表示ユニット３０へ伝送するようになっている。
【００９８】
また、上記映像伝送ユニット２０や表示ユニット３０に用いられるアンテナとしては、例えば図２に示すような逆Ｌ型アンテナ（図２（ａ））や逆Ｆ型アンテナ（図２（ｂ））を用いることができる。これらアンテナのうち、機能させるアンテナを選択する方法についても実施の形態１と同様にして（図６および図７に示すようにして）行うことができる。また、実施の形態１と同様に、映像伝送ユニット２０は、図３に示す構成とすることができ、表示ユニット３０は、図４に示す構成とすることができる。
【００９９】
また、図５に示すように、映像伝送ユニット２０は、受信手段６１、映像処理手段６２、音声処理手段６３、エンコーダ６４、無線送信手段６５、マイコン６７、ＲＯＭ６８等を備えており、表示ユニット３０は、無線送受信手段７９、デコーダ７０、映像処理手段（出力制御手段）７１、表示手段（出力手段）７２、音声処理手段（出力制御手段）７３、スピーカ（出力手段）７４、マイコン（判定手段）７５、ＲＯＭ（記憶装置）７６、受光手段７８等を備えている。
【０１００】
なお、上記マイコン７５は、表示ユニット３０を駆動させるための各種制御を行う制御機能を有している。この制御機能は、マイコン７５の図示しない演算部が、ＲＯＭ７６や図示しないメモリに記録されているプログラムを実行することにより実現される。上記の図示しないメモリは、上記マイコン７５内にあってもよいし、マイコン７５外にあってもよい。
【０１０１】
マイコン７５は、例えば、映像処理手段７１や音声処理手段７３を制御する。映像処理手段７１は、マイコン７５からの指示を受けて表示手段７２に所定の画像を表示させる。音声処理手段７３は、マイコン７５からの指示を受けてスピーカ７４から所定の音声を出力させる。
【０１０２】
また、マイコン７５は、所定の信号が入力されると、ＲＯＭ７５に記録されているＩＤを読み出し、表示手段７２にそのＩＤを表示させるようになっている。この所定の信号とは、例えば出荷可能であるか否かの検査（出荷検査）を行う旨を指示する信号等である。また、上記ＩＤとは、例えば製品ＩＤや修理ＩＤといった、映像伝送ユニット２０および表示ユニット３０の状態を示す情報である。製品ＩＤは、映像伝送ユニット２０および表示ユニット３０の検査の結果、不良個所が発見されない場合に使用されるＩＤである。また、修理ＩＤは、映像伝送ユニット２０および表示ユニット３０の検査の結果、不良個所が発見された場合に使用されるＩＤである。
【０１０３】
上記マイコン７５は、表示するＩＤが（記憶されているＩＤが）、どのＩＤであるかを判定する機能を有している。マイコン７５は、記憶されているＩＤが製品ＩＤのみであると判定した場合には、表示手段７２に記憶されている製品ＩＤを表示すると共に、検査によって不良個所が発見されなかった旨を表示する。具体的には、例えば図９の画面Ｂに示すように、「ＳＥＴＴＩＮＧ  ＣＯＭＰＬＥＴＥ」と表示し、画面の文字列を緑色に表示させる。一方、マイコン７５が、記憶されているＩＤが修理ＩＤであると判定した場合には、表示手段７２に記憶されている修理ＩＤを表示すると共に、検査によって不良個所が発見された旨（つまり、製品として出荷してはいけない旨）を表示する。具体的には、例えば図９の画面Ｃに示すように、「ＳＥＴＴＩＮＧ  ＮＧ」と表示し、画面の文字列を赤色に表示させる。
【０１０４】
なお、マイコン７５による、記憶されているＩＤが製品ＩＤであるか否かの判定は、例えば、製品ＩＤには、製品ＩＤ固有の情報を含ませておき、マイコン７５が、その情報を含むＩＤであるか否かを判定することにより行うことができる。また、記憶されているＩＤが修理ＩＤであるか否かの判定は、同様に、修理ＩＤに、修理ＩＤ固有の情報を含ませておき、マイコン７５が、その情報を含むＩＤであるか否かを判定することにより行うことができる。したがって、製品ＩＤ固有の情報と修理ＩＤ固有の情報とは、確実に区別して混同することのない情報とすることが好ましい。また、製品ＩＤと修理ＩＤとを異なる記憶領域に記憶させておく場合には、所定の記憶領域に記憶されたＩＤがあるか否かを判定すればよい。
【０１０５】
上記構成を有する無線通信システム（映像伝送ユニット２０および表示ユニット３０）においては、出荷前に仕上工程が行われる。この「仕上工程」とは、検査工程や修理工程、出荷検査といった出荷前に行われる一連の工程を総称したものである。なお、本実施の形態では、出荷前に行われる、映像伝送ユニット２０や表示ユニット３０に不良箇所があるか否かの検査を「検査工程」と称する。また、この検査工程にて不良箇所が発見された場合に行われる修理に関する工程を「修理工程」と称する。さらに、出荷可能であるか否かの検査を「出荷検査」と称する。すなわち、「仕上工程」とは、実施の形態１に記載した、「簡易検査」や「検査工程」、「検査（修理）工程」等の工程を総称したものと同様である。
【０１０６】
ここで、図１０に基づいて仕上工程について説明する。図１０は、本実施の形態における仕上工程を説明するフローチャートである。図１０では、表示ユニット３０における仕上工程について説明している。図１０に示すように、仕上工程では、まず、映像伝送ユニット２０や表示ユニット３０に不良個所があるか否かを調べるために検査工程が行われる。ただし、本実施の形態では、映像伝送ユニット２０および表示ユニット３０として、互いに無線により通信を行う機器を用いている。このため、これら映像伝送ユニット２０および表示ユニット３０には、互いの無線通信が可能となるように、予め（検査工程の前に）認識用ＩＤ（認識情報）を記憶させている（Ｓ２１）。
【０１０７】
この認識用ＩＤとは、映像伝送ユニット２０および表示ユニット３０が、互いを認識するための識別情報のことである。この認識用ＩＤは、これら映像伝送ユニット２０および表示ユニット３０が互いを認識できる情報であればよく、特に限定されるものではない。例えば、識別用ＩＤは、１６進数の８桁で示される情報、すなわち３２ビット情報で表すことができる。なお、映像伝送ユニット２０に記憶された識別用ＩＤと、表示ユニット３０に記憶された識別用ＩＤとは、ビット情報が全て一致しているものであってもよく、一部のみ一致しているものであってもよく、一致する部分のないものであってもよい。この認識用ＩＤは、映像伝送ユニット２０のマイコン６７によってＲＯＭ６８に記憶され、表示ユニット３０のマイコン７５によってＲＯＭ７６に記憶される。
【０１０８】
そして、検査工程を行う（Ｓ２２）。検査工程では種々の検査を行う。例えば、アンテナの通信性能に関する検査等が行われ、これは、上記実施の形態１と同様にして行うことができる。検査の結果、不良個所の有無が調べられる（Ｓ２３）。検査工程で不良個所が発見されない場合には、映像伝送ユニット２０および表示ユニット３０の双方に製品ＩＤ（出荷可能情報）を記憶させる（Ｓ２４）。製品ＩＤとは、一対の映像ユニット２０および表示ユニット３０毎に付与される固有の識別情報である。また、製品ＩＤは、対となっている映像伝送ユニット２０および表示ユニット３０を識別する情報であると共に、出荷検査においては、これら映像伝送ユニット２０および表示ユニット３０には不良個所はなく、出荷できる状態となっていることを示す情報である。
【０１０９】
一方、検査工程で不良個所が発見された場合には、映像伝送ユニット２０および表示ユニット３０の双方に修理ＩＤ（修理情報）を記憶させる（Ｓ２５）。修理ＩＤとは、検査工程にて不良個所があるとされた一対の映像伝送ユニット２０および表示ユニット３０毎に付与される固有の識別情報である。すなわち、修理ＩＤは、対となっている映像伝送ユニット２０および表示ユニット３０を識別する情報であると共に、これら映像伝送ユニット２０および表示ユニット３０には不良個所があるため、修理が必要であり出荷できない状態となっていることを示す情報である。なお、修理ＩＤは、映像伝送ユニット２０および表示ユニット３０が出荷不可能な状態であることを示す情報であればよく、特に限定されるものではない。ただし、製品ＩＤとの区別を確実に行うことが可能な情報であることが好ましい。
【０１１０】
なお、Ｓ２３で不良箇所が発見されない場合には、対となっている映像伝送ユニット２０および表示ユニット３０に同一の製品ＩＤが記憶される。製品ＩＤは、映像伝送ユニット２０のマイコン６７によってＲＯＭ６８に記憶され、表示ユニット３０のマイコン７５によってＲＯＭ７６に記憶される。一方、Ｓ２３で不良が発見された場合には、対となっている映像伝送ユニット２０および表示ユニット３０に同一の修理ＩＤが記憶される。修理ＩＤは、映像伝送ユニット２０のマイコン６７によってＲＯＭ６８に記憶され、表示ユニット３０のマイコン７５によってＲＯＭ７６に記憶される。
【０１１１】
なお、製品ＩＤは、上記認識用ＩＤを記憶している領域と同じ領域に記憶される。すなわち、認識用ＩＤが記憶されている領域に製品ＩＤを上書きすることとなる。したがって、この場合には認識用ＩＤは消去される。また、修理ＩＤは、上記認識用ＩＤを記憶している領域と同じ領域に記憶される。すなわち、認識用ＩＤが記憶されている領域に修理ＩＤを上書きすることとなる。したがって、この場合にも認識用ＩＤは消去される。
【０１１２】
そして、検査工程で不良個所が発見され、修理ＩＤが記憶された映像伝送ユニット２０および表示ユニット３０は、修理工程へと進む（Ｓ２６）。修理工程では、映像伝送ユニット２０および表示ユニット３０の不良個所について所定の修理が施される。修理が完了した映像伝送ユニット２０および表示ユニット３０は、再度検査工程（Ｓ２２）へと投入される。
【０１１３】
再度投入された検査工程にて不良個所が発見されない場合には、映像伝送ユニット２０および表示ユニット３０に製品ＩＤを記憶させる（Ｓ２３〜Ｓ２４）。この製品ＩＤを記憶させる方法は上記と同様にして行うことができる。ただし、製品ＩＤを記憶させる領域には修理ＩＤが記憶されており、この領域に製品ＩＤを記憶させることとなる。したがって、この場合には修理ＩＤは消去される。
【０１１４】
上述の検査工程（再度投入された検査工程も含む）にて不良個所が発見されなかった映像伝送ユニット２０および表示ユニット３０は、所定の信号が入力された場合に出荷検査が行われる（Ｓ２７〜Ｓ２８）。所定の信号とは、出荷検査を行う旨を指示する信号である。この信号が入力されると、マイコン６７・７５は、映像伝送ユニット２０のＲＯＭ６８および表示ユニット３０のＲＯＭ７６に記憶されているＩＤ（使用するＩＤ）が製品ＩＤであるか否かを判定する（Ｓ２９）。この判定の結果、ＲＯＭ６８・７６に記憶されたＩＤが製品ＩＤである場合には、映像処理手段７１が表示手段７２に対して図９の画面Ｂに示す画面を表示させる（Ｓ３０）。この画面により、映像伝送ユニット２０および表示ユニット３０が出荷可能な状態にあることが分かる。この場合、そのまま出荷工程へと進む（Ｓ３１）。
【０１１５】
一方、何らかの原因により修理ＩＤが記憶された映像伝送ユニット２０および表示ユニット３０が出荷検査を受けた場合には、マイコン６７・７５は、ＲＯＭ６８・７６に記憶されたＩＤが製品ＩＤでない（修理ＩＤである）と判定する。この場合、映像処理手段７１が表示手段７２に対して図９の画面Ｃに示す画面を表示させる（Ｓ３２）。この画面により、映像伝送ユニット２０および表示ユニット３０が出荷不可能な状態にあることが分かる。この場合、映像伝送ユニット２０や表示ユニット３０には、不良個所が存在する可能性が高いため、これら各ユニット２０・３０を再度検査工程（Ｓ２２）に投入する。これにより、修理が必要な映像伝送ユニット２０および表示ユニット３０を誤って出荷してしまうことを回避できる。
【０１１６】
上記出荷工程にて、映像伝送ユニット２０および表示ユニット３０に対して出荷の手続を行うことにより、仕上工程は終了する。
【０１１７】
なお、上記工程では、Ｓ２９にて製品ＩＤであるか否かを判定しているが、これに限定されるものではない。例えば、記憶されているＩＤが修理ＩＤであるか否かを判定してもよく、修理ＩＤであるか否かの判定と製品ＩＤであるか否かの判定との双方を行ってもよい。
【０１１８】
なお、上記の認識用ＩＤ、製品ＩＤ、修理ＩＤは、所定のＩＤを映像伝送ユニット２０および表示ユニット３０に自動的に入力して記憶させてもよく、何らかの入力手段を用いて直接入力してもよい。
【０１１９】
なお、上述した本実施の形態では、映像伝送ユニット２０および表示ユニット３０の双方に予め認識用ＩＤを記憶させているが、これに限定されるものではない。例えば、映像伝送ユニット２０および表示ユニット３０の双方に、認識用ＩＤではなく製品ＩＤを予め記憶させていてもよい。すなわち、この場合には、検査工程の前に、映像伝送ユニット２０および表示ユニット３０に製品ＩＤを記憶させておく。そして、検査の結果、不良箇所が発見されない場合には記憶させているＩＤをそのままにしておき、不良箇所が発見された場合には製品ＩＤが記憶されている領域に修理ＩＤを記憶させる。さらに、修理工程および再度投入された検査工程を経て、不良箇所のない映像伝送ユニット２０および表示ユニット３０には、修理ＩＤが記憶されている領域に製品ＩＤを記憶させる。
【０１２０】
また、本実施の形態では、製品ＩＤや修理ＩＤを映像伝送ユニット２０および表示ユニット３０の双方に記憶させているが、これに限定されるものではない。例えば、認識用ＩＤを記憶する記憶領域と、製品ＩＤおよび／または修理ＩＤを記憶する記憶領域とが異なる場合には、映像伝送ユニット２０および表示ユニット３０の一方のＲＯＭに製品ＩＤや修理ＩＤを記憶させていればよい。
【０１２１】
すなわち、認識用ＩＤを記憶する記憶領域に、認識用ＩＤを常に記憶させておけば、映像伝送ユニット２０と表示ユニット３０とは互いに認識可能な状態となっている。このため、製品ＩＤまたは修理ＩＤが映像伝送ユニット２０のＲＯＭ６８にのみ記憶されている場合には、映像伝送ユニット２０は、出荷検査の際にＲＯＭ６８に記憶された製品ＩＤまたは修理ＩＤを表示ユニット３０に送信し、表示ユニット３０は受信した製品ＩＤまたは修理ＩＤを表示すればよい。また、製品ＩＤまたは修理ＩＤが表示ユニット３０のＲＯＭ７６にのみ記憶されている場合には、出荷検査の際に、マイコン７５がＲＯＭ７６に記録された製品ＩＤまたは修理ＩＤを読み出し、表示手段７２にて表示すればよい。
【０１２２】
さらに、本実施の形態では、検査工程で不良個所が発見された場合に記憶される修理ＩＤは、修理工程の後に再度投入される検査工程にて不良個所が発見されない場合には製品ＩＤに書き換えられる。すなわち、本実施の形態では、修理ＩＤが消去される形態について説明した。
【０１２３】
しかしながら、本発明は、これに限定されるものではなく、修理が完了して、再度の検査工程にて不良個所が発見されない場合であっても、修理ＩＤを消去せずに製品ＩＤを記憶させてもよい。これは、例えば、修理ＩＤを記憶する記憶領域と製品ＩＤを記憶する記憶領域とを異ならせることにより実現できる。
【０１２４】
また、修理ＩＤを記憶する記憶領域（修理情報記憶領域）と製品ＩＤを記憶する記憶領域（出荷情報記憶領域）とが異なり、これら各記憶領域に各々のＩＤが記憶されている場合には、修理ＩＤおよび製品ＩＤのうち、実際に使用するＩＤを記憶する記憶領域（使用情報記憶領域）を設ければよい。すなわち、ＲＯＭ７６内には、各々異なる３つの記憶領域として、修理ＩＤを記憶する記憶領域と、製品ＩＤを記憶する記憶領域と、使用するＩＤを記憶する記憶領域とを有している。この使用するＩＤを記憶する使用情報記憶領域に、修理ＩＤまたは製品ＩＤのいずれかを読み出して記憶させることにより、使用するＩＤを容易に判定できる。
【０１２５】
具体的には、検査工程にて不良個所がない場合には、使用情報記憶領域に製品ＩＤを記憶させ、検査工程にて不良個所が発見された場合には、使用情報記憶領域に修理ＩＤを記憶させる。使用するＩＤが製品ＩＤである場合に、修理情報記憶領域に修理ＩＤが記憶されていてもよく、使用するＩＤが修理ＩＤである場合に、出荷情報記憶領域に製品ＩＤが記憶されていてもよい。マイコン７５は、ＲＯＭ７６の使用情報記憶領域に記憶されたＩＤがいずれのＩＤであるかを判定する。これにより、修理ＩＤが修理情報記憶領域に記憶され、製品ＩＤが出荷情報記憶領域に記憶された状態であっても出荷検査を行うことが可能となる。すなわち、修理ＩＤと製品ＩＤとが共に記憶された状態であっても出荷検査を行うことが可能となる。
【０１２６】
なお、修理ＩＤを記憶する記憶領域と、製品ＩＤを記憶する記憶領域と、使用するＩＤを記憶する記憶領域とは、同じ記憶装置内に存在していてもよいが、各々異なる記憶装置内に存在していてもよく、いずれかの記憶領域のみ異なる記憶装置内に存在していてもよい。
【０１２７】
また、使用するＩＤを記憶する領域に修理ＩＤが記憶されており、製品ＩＤを同じ領域に記憶する場合には、修理ＩＤを他の記憶領域に記憶させた後に、使用するＩＤを記憶する領域に製品ＩＤを記憶させればよい。これにより、修理ＩＤを残した状態で製品ＩＤを記憶させておくことができる。
【０１２８】
ただし、修理ＩＤと製品ＩＤとが記憶されている場合には、マイコン７５が、修理ＩＤが記憶されていると判定して、この修理ＩＤを読み出してしまう可能性があるため、修理ＩＤを他の記憶領域に記憶する場合には、マイコン７５の判定に用いられることのない記憶領域に記憶させることが好ましい。
【０１２９】
修理ＩＤを残しておけば、これら修理ＩＤを修理に関する履歴として用いることができる。例えば、修理ＩＤに修理履歴データを含ませておくことにより、修理ＩＤを基にして、その映像伝送ユニットおよび表示ユニットの不良個所や修理内容等を参照することが可能になる。したがって、残しておく修理ＩＤとしては、修理ＩＤそのものを残しておいてもよいが（修理ＩＤそのものを他の記憶領域に記憶させておいてもよいが）、修理ＩＤの一部または履歴として認識できる情報のみを残してもよい（他の記憶領域に記憶させておいてもよい）。
【０１３０】
なお、本実施の形態では、マイコン７５が、ＲＯＭ７６等の記憶装置に記憶されたＩＤが製品ＩＤおよび修理ＩＤのいずれであるかを判定し、その判定結果に基づいて、使用するＩＤを表示手段７２に表示するようになっている。ただし、本発明は、これに限定されるものではなく、例えば、判定結果に基づいて、使用するＩＤに関する情報を、表示ユニット３０のスピーカ７４を介して音にて出力する構成であってもよい。これにより、視覚的な確認のみならず、音による確認が可能となる。
【０１３１】
また、本実施の形態では、映像伝送ユニット２０および表示ユニット３０を備えた無線通信システムを例に挙げて説明したが、本発明はこれに限定されるものではなく、例えば、映像伝送ユニット２０と表示ユニット３０とが有線で通信する通信システムであってもよく、また、これらが一体となった一体型表示装置であってもよい。
【０１３２】
映像伝送ユニット２０と表示ユニット３０とが有線で通信する通信システムでは、無線通信を行わないため、互いを認識させる必要がない。したがって、上記認識用ＩＤを記憶させる必要はなく、検査工程を経て、不良個所がない場合には使用するＩＤとして製品ＩＤを記憶させ、不良個所が発見された場合には、使用するＩＤとして修理ＩＤを記憶させておけばよい。
【０１３３】
また、この場合においても、製品ＩＤや修理ＩＤは、映像伝送ユニット２０または表示ユニット３０の一方のＲＯＭ６８・７６に記憶させていてもよく、双方のＲＯＭ６８・７６に記憶させていてもよい。表示ユニット３０のＲＯＭ７６に記憶されている場合には、マイコン７５がＲＯＭ７６から読み出したＩＤを表示手段７２に表示するように制御する。映像伝送ユニット２０のＲＯＭ６８に記憶されている場合には、映像伝送ユニット２０から表示ユニット３０にＩＤに関する情報が送信され、表示ユニット３０は、受信したＩＤを表示手段７２に表示するようになっている。
【０１３４】
また、映像伝送ユニット２０と表示ユニット３０とが一体となった一体型表示装置においても、当然、認識用ＩＤは不要であると共に、製品ＩＤや修理ＩＤもいずれか一方のＲＯＭ６８・７６に記憶させればよい。ただし、映像伝送ユニット２０と表示ユニット３０とが一体となっているため、映像伝送ユニット２０のＲＯＭ６８および表示ユニット３０のＲＯＭ７６との双方を有していなくてもよく、一体型表示装置としてＲＯＭを備えていてもよい。
【０１３５】
さらに、本実施の形態では、表示ユニット３０が、特許請求の範囲における受信装置に対応するものとして説明したが、本発明はこれに限定されるものではない。例えば、映像伝送ユニット２０が、特許請求の範囲における受信装置に対応する構成とすることもできる。この場合であっても、上述した仕上工程と同様の方法にて出荷前の一連の工程を行うことができる。
【０１３６】
すなわち、映像伝送ユニット２０が備えるマイコン６７が、上記表示装置３０のマイコン７５と同様の機能を有すると共に、同様の制御を行うこととなる。また、ＲＯＭ６８には、製品ＩＤや修理ＩＤといった各ＩＤが記憶されている。この場合、マイコン６７は、例えば出荷検査を行う旨を指示する信号といった所定の信号が入力されると、ＲＯＭ６８に記録されているＩＤを読み出し、出力するようになっている。
【０１３７】
このように、マイコン６８は、所定の信号が入力されると、出力するＩＤが（記憶されているＩＤが）、どのＩＤであるかを判定し、この判定結果に基づいてＩＤを出力するようになっている。この判定は、表示ユニット３０のマイコン７５による判定と同様にして行うことができる。また、ＩＤの出力においても、上記と同様にして行うことができる。例えば、出力するＩＤを表示ユニット３０へ送信して、表示ユニット３０の表示手段７２に表示させてもよく、スピーカ７４から音として出力してもよい。さらに、映像伝送ユニット２０自身に表示手段やスピーカ等を設けて、これら表示手段やスピーカから出力してもよい。
【０１３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３９】
最後に、表示ユニット３０の各ブロック、特にマイコン７５は、ハードウェアロジックによって構成してもよいし、次のようにＣＰＵを用いてソフトウェアによって実現してもよい。
【０１４０】
すなわち、表示ユニット３０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示ユニット３０の制御プログラムのプログラムコード（実行形式プログラム、中間コードプログラム、ソースプログラム）をコンピュータで読み取り可能に記録した記録媒体を、上記表示ユニット３０に供給し、そのコンピュータ（またはＣＰＵやＭＰＵ）が記録媒体に記録されているプログラムコードを読み出し実行することによっても、達成可能である。
【０１４１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４２】
また、表示ユニット３０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４３】
以上のように、本発明の受信装置は、出荷検査にて自装置が修理状態にあるか否かを判定することができるため、修理状態のまま出荷してしまうことを回避することができる。したがって、テレビ、ＰＤＡ、パーソナルコンピュータ等の修理状態である旨を出力することができる電子・電気機器に特に好適に用いることができる。
【図面の簡単な説明】
【０１４４】
【図１】本発明に係る無線通信システムの１実施形態を表した構成図である。
【図２】アンテナの構造を示す斜視図である。
【図３】映像伝送ユニットの一例を示す分解図である。
【図４】表示ユニットの一例を示す組み込み図である。
【図５】本発明に係る無線通信システムを示すブロック図である。
【図６】検査工程における表示ユニットの表示画面を示す説明図である。
【図７】検査工程における映像伝送ユニットのアンテナの機能を示すタイムチャートである。
【図８】検査（修理）工程における手順を示すフローチャートである。
【図９】表示手段の表示画面を示す説明図である。
【図１０】本発明の他の実施の形態における仕上工程の手順を示すフローチャートである。
【符号の説明】
【０１４５】
１０  無線通信システム（通信システム）
２０  映像伝送ユニット（送信装置）
２５  無線通信送信部
２６，２７  アンテナ
２８，２９  ケーブル
３０  表示ユニット（受信装置）
３１  表示画面部
３２  スピーカ格納部
４１，４２，４３  アンテナ
４４，４５  スピーカ
４６  無線通信受信部
５０  逆Ｌ型アンテナ
５１  逆Ｆ型アンテナ
６２，７１  映像処理手段（出力制御手段）
６５，７９  無線送受信手段
６７，７５  マイコン（判定手段）
６８，７６  ＲＯＭ（記憶装置）
６９，７８  受光手段
７２  表示手段（出力手段）
８０  リモコン
【図１】
2005260930.tif 000003
【図２】
2005260930.tif 000004
【図３】
2005260930.tif 000005
【図４】
2005260930.tif 000006
【図５】
2005260930.tif 000007
【図７】
2005260930.tif 000008
【図８】
2005260930.tif 000009
【図９】
2005260930.tif 000010
【図１０】
2005260930.tif 000011
【図６】
2005260930.tif 000012